(57)【要約】      （修正有）【課題】より容易に取り付けることができるパネル計器を提供する。【解決手段】パネル計器１を、直方体状の筐体１１と、この筐体１１の一つの面に設けられ、縁部が筐体１１の一つの面に隣接する側面から突出したインターフェース部と、磁石に吸着される材料からなり、インターフェース部近傍の筐体１１表面に配設された磁石吸着部材１１１と、この磁石吸着部材１１１に吸着する磁石１４を有し、インターフェース部近傍の筐体１１表面に配設される取付部材１３、１４とから構成した。【選択図】図１
2016053533.tif 000002
【特許請求の範囲】
【請求項１】
直方体状の筐体と、
この筐体の一つの面に設けられ、縁部が前記筐体の前記一つの面に隣接する側面から突出したインターフェース部と、
磁石に吸着される材料からなり、前記インターフェース部近傍の前記筐体表面に配設された磁石吸着部材と、
この磁石吸着部材に吸着する磁石を有し、前記インターフェース部近傍の前記筐体表面に配設される取付部材と
を備えたことを特徴とするパネル計器。
【請求項２】
請求項１記載のパネル計器において、
前記磁石吸着部材は、
前記筐体の少なくとも１つの前記側面とこの側面と隣接する２つの他の前記側面によって構成される辺に沿って前記インターフェース部近傍にそれぞれ配設され、
前記取付部材は、
前記磁石に吸着されない材料からなり、隣合う前記磁石吸着部材の間隔と同等の間隔で複数の前記磁石を保持する棒状の部材をさらに備え、
ことを特徴とするパネル計器。
【請求項３】
請求項２記載のパネル計器において、
前記棒状の部材は、前記棒状の部材を前記筐体の側面の前記インターフェース部近傍に当接させたときに、前記筐体の前記側面と接触する位置に切り欠きが形成されている
ことを特徴とするパネル計器。
【発明の詳細な説明】
【技術分野】
【０００１】
本発明は、パネル計器に関するものである。
【背景技術】
【０００２】
従来より、パネルに組み込んで使用され、各種機器を制御する例えばシーケンサ等の制御装置（以下、「パネル計器」と言う。）が知られている。このパネル計器の一例を図５に示す。
【０００３】
図５に示すパネル計器１００は、回路基板等を内蔵した筐体１０１を備えており、この筐体１０１の一つの面には、温度、圧力、流量等の所定のパラメータを設定する操作部およびシーケンサが制御する制御機器の状態等を表示する表示部を備えたインターフェース部１０２が設けられている。このようなパネル計器１００は、筐体の側面に固定された取付器具１１０を用いて、そのインターフェース部１０２がパネル２００の前面から露出するように、パネル２００に固定される（例えば、特許文献１，２参照。）。このようなパネル機器１００の固定方法について以下に説明する。
【０００４】
まず、筐体１０１のインターフェース部１０２を固定した面と反対側の面をパネル２００の前面側から開口２０１に挿入する。
続いて、パネル２００の後面側に位置する筐体１０１の側面に、取付器具１１０を固定する。この取付器具１１０は、筐体１０１の側面に固定される固定部材１１１と、この固定部材１１１に軸部が支持されたねじ１１２とから構成されている。このような取付器具１１０は、ねじ１１２の端部がパネル２００の後面に対向した状態となるように筐体１０１に固定される。
そして、ねじ１１２を締め付けることによりねじ１１２の端部をパネル２００の後面に押し当てて、ねじ１１２の端部とインターフェース部１０２の縁部とでパネル２００を挟み込む。これにより、パネル計器１００は、パネル２００に固定される。
【先行技術文献】
【特許文献】
【０００５】
【特許文献１】特開２００７−１３２８２７号公報
【特許文献２】特開２０１０−２７１１９５号公報
【発明の概要】
【発明が解決しようとする課題】
【０００６】
しかしながら、従来のパネル計器１００をパネル２００に固定する場合には、パネル２００の背面からねじ１１２を締め付けなければならないので、手間がかかっていた。特に、取付器具１１０が筐体１０１の下側面に固定されている場合には、ねじ１１２を目視しづらいので、ねじ１１２を締め付けづらいとともに、その締め付け量の程度が分かりずらくなっていた。このため、ねじ１１２を締め付け過ぎてパネル計器１００を破損してしまう虞もあった。
【０００７】
そこで、本発明は、より容易に取り付けることができるパネル計器を提供することを目的とする。
【課題を解決するための手段】
【０００８】
上述したような課題を解決するために、本発明に係るパネル計器は、直方体状の筐体と、この筐体の一つの面に設けられ、縁部が前記筐体の前記一つの面に隣接する側面から突出したインターフェース部と、磁石に吸着される材料からなり、前記インターフェース部近傍の前記筐体表面に配設された磁石吸着部材と、この磁石吸着部材に吸着する磁石を有し、前記インターフェース部近傍の前記筐体表面に配設される取付部材とを備えたことを特徴とする。
【０００９】
上記パネル計器において、前記磁石吸着部材は、前記筐体の少なくとも１つの前記側面とこの側面と隣接する２つの他の前記側面によって構成される辺に沿って前記インターフェース部近傍にそれぞれ配設され、前記取付部材は、前記磁石に吸着されない材料からなり、隣合う前記磁石吸着部材の間隔と同等の間隔で複数の前記磁石を保持する棒状の部材をさらに備えるようにしてもよい。
【００１０】
上記パネル計器において、棒状の部材は、棒状の部材を筐体の側面のインターフェース部近傍に当接させたときに、筐体の側面と接触する位置に切り欠きが形成されているようにしてもよい。
【発明の効果】
【００１１】
本発明によれば、パネルの開口に筐体を挿入して、インターフェース部近傍の筐体表面に配設された磁石吸着部材に取付部材の磁石を吸着させるだけで、パネル計器をパネルに取り付けることができる。
【図面の簡単な説明】
【００１２】
【図１】図１は、本発明の実施の形態に係るパネル計器の構成を模式的に示す斜視図である。
【図２】図２は、磁石吸着部材の構成を模式的に示す斜視図である。
【図３】図３は、磁石吸着部材を筐体に取り付けた状態を模式的に示す要部断面図である。
【図４】図４は、本発明の実施の形態に係るパネル計器の構成を模式的に示す分解斜視図である。
【図５】図５は、従来のパネル計器の構成を模式的に示す斜視図である。
【発明を実施するための形態】
【００１３】
以下、図面を参照して、本発明の実施の形態について詳細に説明する。
【００１４】
＜パネル計器の構成＞
図１〜図４に示すように、本実施の形態に係るパネル計器１は、直方体状の筐体１１と、この筐体１１の前面に取り付けられたインターフェース部１２と、筐体１１に取り付けられる２つの棒部材１３と、この棒部材１３に固定された磁石１４とを備えている。
このようなパネル計器１は、パネル２の平面視略矩形の開口２１に固定されるものである。
ここで、棒状部材１３とこの棒状部材１３に保持された磁石１４とは、本発明における取付部材として作用する。後述するように、筐体１１のインターフェース部１２近傍の表面に配設された磁石吸着部材１１１に磁石１４が吸着することによって、パネル計器１をパネル２に固定する役割を果たす。
【００１５】
筐体１１は、例えば樹脂などからなり、前面が開口した略直方体状の部材である。この筐体１１内部には、回路基板（図示せず）が収容されている。この回路基板は、インターフェース部１２と電気的に接続されたプリント基板である。この回路基板には、インターフェース部１２から入力される情報に基づいて、温度、圧力、流量等の設定動作や測定動作を行うとともに、これらの動作の内容や結果をインターフェース部１２に表示させる表示動作を行わせる電子回路（図示せず）などが実装されている。
【００１６】
このような筐体１１の隣接する側面により構成される各辺（以下、「側辺」と言う。）における前面側の端部には、磁石吸着部材１１１が固定されている。磁石吸着部材１１１は、図２に示すように、例えば鉄など磁石にくっつく材料からなり、断面略Ｌ字状の棒状の形成されている。磁石吸着部材１１１の長手方向における両端部には、一方の端部から離間する方向に突出した断面略Ｌ字状の係合部１１１ａが形成されている。
一方、筐体１１の各側辺の前面側の端部、すなわちインターフェース部１２の近傍には、切り欠き１１ａが形成されている。
図３に示すように、磁石吸着部材１１１の係合部１１１ａをその切り欠き１１ａから筐体１１内部に圧入し、係合部１１１ａによって各側壁の内面を外面に向かって押圧させることにより、磁石吸着部材１１１を筐体１１に固定することができる。これにより、磁石吸着部材１１１は、筐体１１の各側辺から露出した状態でインターフェース部１２の近傍に配設される。
【００１７】
インターフェース部１２は、各種情報を表示したり、ユーザの操作入力を検出したりするインターフェース装置であり、例えば、ＬＣＤ（Liquid Crystal Display）パネル等の表示装置とタッチパッド等の位置入力装置を備えたタッチパネルからなる。
このようなインターフェース部１２は、平面視略矩形の板状に形成されて、筐体１１の前面に固定される。このインターフェース部１２の平面形状は、筐体１１の前面の平面形状およびパネル２の開口２１の平面形状よりも形成されている。したがって、インターフェース部１２の縁部は、筐体１１の側面から突出した状態になる。また、パネル２の開口２１に筐体１１を背壁側から挿入すると、インターフェース部１２の縁部がパネル２の開口２１の周囲に当接することとなる。
【００１８】
棒部材１３は、樹脂その他の、磁石に吸着しない材料からなる棒状の部材である。本実施の形態において、この棒部材１３は、直方体状に形成されており、その長手方向の長さは筐体１１の隣り合う側辺間の間隔よりも長い。この棒部材１３の長手方向に沿った一つの側面（以下、「接触面」と言う。）の両端部には、この接触面に開口た略直方体状の凹部１３ａが形成されている。二つの凹部１３ａの間隔は、筐体１１に固定された隣り合う磁石吸着部材１１１の間隔と同等である。これらの凹部１３ａに磁石１４をそれぞれ収容することによって、棒部材１３は隣合う磁石吸着部材１１１の間隔と同等の間隔で２つの前記磁石を保持する。
また、接触面に隣接する両側面には、接触面の凹部１３ａが形成されていない位置に向かって三角柱状に切りかかれた切り欠き部１３ｂが形成されている。
【００１９】
磁石１４は、棒部材１３の凹部１３ａの内部空間と同等の形状に形成され、凹部１３ａ内に固定される。このとき、磁石１４の凹部１３ａから露出する端面は、棒部材１３の接触面と同一平面上に位置するか、または、その接触面から若干突出するようにされている。
このような磁石１４には、各種磁石を用いることができるが、他の磁石と比較して非常に強い磁力を持つネオジム磁石を用いることが望ましい。
【００２０】
＜パネル計器の固定方法＞
次に、図１，図２を参照して、本実施の形態に係るパネル計器１のパネル２への固定方法について説明する。
【００２１】
まず、筐体１１の前面にインターフェース部１２を固定したパネル計器１を用意し、その筐体１１の背壁をパネル２の前面側から開口２１に挿入する。このとき、筐体１１には、磁石吸着部材１１１が予め取り付けられている。
【００２２】
次に、２つの棒部材１３を用意し、これらを筐体１１に取り付ける。具体的には、一方の棒部材１３は、接触面を筐体１１の上面のインターフェース部１２近傍に当接させ、他方の棒部材１３は、接触面を筐体１１の上面のインターフェース部１２近傍に当接させる。このとき、それぞれの棒部材１３に固定された磁石１４と筐体１１の磁石吸着部材１１１とを接触させる。すると、磁石１４が磁石吸着部材１１１に吸着するので、棒部材１３は、筐体１１の上面および下面のインターフェース部１２近傍に取り付けられることとなる。
【００２３】
ここで、棒部材１３を、インターフェース部１２側に押し付けるなどすることによって、パネル２の後面に接触した状態とする。すると、筐体１１の上面および下面に隣接するパネル２の開口２１の縁部が、インターフェース部１２と棒部材１３とにより挟持された状態となる。これにより、棒部材１３によって筐体１１のパネル２の平面に対して垂直な方向への移動が阻害されるので、結果として、パネル計器１がパネル２に固定されることとなる。
【００２４】
なお、パネル計器１をパネル２から取り外す場合には、筐体１１から棒部材１３を取り外して、パネル計器１をパネル２の前面から抜き取ればよい。このとき、棒部材１３の磁石１４がネオジム磁石からなる場合には、磁力が強いために、磁石１４を磁石吸着部材１１１から取り外すことが困難なことがある。このような場合には、棒部材１３の棒部材１３に形成された切り欠き部１３ｂにマイナスドライバーの端部などの部材を挿入して、筐体１１と棒部材１３とをわずかに離間させることにより、容易に棒部材１３を筐体１１から取り外すことができる。
【００２５】
以上説明したように、本実施の形態によれば、パネル２の開口２１に筐体１１を挿入して、インターフェース部１２近傍の筐体１１の表面に配設された磁石吸着部材１１１に棒部材１３の磁石１４を吸着させるだけで、パネル計器１をパネル２に取り付けることができる。このため、従来のようにねじを締め付けなくてよいので、容易にパネル計器１をパネル２に取り付けることができるとともに、パネル計器１の破損を防ぐことができる。
【００２６】
なお、本実施の形態では、磁石１４を棒部材１３に固定する場合を例に説明したが、磁石１４は棒部材１３に固定せずに、磁石吸着部材１１１に直接吸着させるようにしてもよい。
【００２７】
また、本実施の形態では、磁石吸着部材１１１を４つの側辺に沿って取り付ける場合を例に説明したが、筐体１１側面のインターフェース部１２近傍の位置に取り付けるのであれば、磁石吸着部材１１１を取り付ける位置および磁石吸着部材１１１の形状はこれに限定されず、例えば、１つの側面とこの側面と隣接する２つの他の側面によって構成される２つの辺に沿ってのみ磁石吸着部材１１１をそれぞれ配設してもよいし、適宜自由に設定することができる。
【産業上の利用可能性】
【００２８】
本発明は、例えばパネル計器など、板状の部材に固定する各種装置に適用することができる。
【符号の説明】
【００２９】
１…パネル計器、２…パネル、１１…筐体、１２…インターフェース部、１３…棒部材、１３ａ…凹部、１３ｂ…切り欠き部、１４…磁石、２１…開口、１１１…磁石吸着部材、１１１ａ…係合部。
【図１】
2016053533.tif 000003
【図２】
2016053533.tif 000004
【図３】
2016053533.tif 000005
【図４】
2016053533.tif 000006
【図５】
2016053533.tif 000007